(57)【要約】【課題】画像品位が低下することを抑制できる液晶表示装置を提供する。【解決手段】液晶表示装置１は、複数の画素ＰＸの各々に設けられたトランジスタ１０及び画素電極２０と、第１方向及び第２方向の各々に配列され、各々が１つ以上の画素電極２０に対向するとともに互いに分離して設けられた複数の共通電極３０と、第１方向に沿って延在する複数のゲート線４０と、第２方向に延在し、ゲート線４０に接続される複数のゲート引出線４１と、第２方向に沿って延在する複数のデータ線５０とを備え、複数のゲート線４０は、第２方向に隣り合う２つの画素ＰＸの境界部ごとに２本ずつ設けられ、複数の画素ＰＸは、第１方向に沿って周期的に繰り返して配列された複数種の画素によって構成されており、複数のデータ線５０と複数のゲート引出線４１とは、同層に形成されており、かつ、第１方向に隣り合う２つの画素ＰＸの境界部ごとに周期的に繰り返して設けられている。【選択図】図２
2020140088.tif 000002
【特許請求の範囲】
【請求項１】
第１方向と前記第１方向に交差する第２方向とに配列された複数の画素によって構成された画像表示領域を有する液晶表示装置であって、
前記複数の画素の各々に設けられたトランジスタ及び画素電極と、
前記画素電極に対向する共通電極と、
前記第１方向に沿って延在し、前記複数の画素の各々における前記トランジスタにゲート信号を供給する複数のゲート線と、
前記第２方向に延在し、前記複数のゲート線との複数の交差部のうちの少なくとも１箇所で前記ゲート線に接続される複数のゲート引出線と、
前記第２方向に沿って延在し、前記複数の画素の各々における前記トランジスタにデータ信号を供給する複数のデータ線とを備え、
前記複数の画素は、前記第１方向に沿って周期的に繰り返して配列された複数種の画素によって構成されており、
前記複数のデータ線と前記複数のゲート引出線とは、同層に形成されており、かつ、前記第１方向に隣り合う２つの前記画素の境界部ごとに周期的に繰り返して設けられている、
液晶表示装置。
【請求項２】
前記複数のデータ線と前記複数のゲート引出線とは、前記第１方向に隣り合う２つの前記画素の境界部ごとに１本ずつ交互に設けられている、
請求項１に記載の液晶表示装置。
【請求項３】
さらに、前記第２方向に沿って延在し、ユーザが前記液晶表示装置をタッチしたときのタッチ位置を検出するための複数のタッチ線を備え、
複数の前記共通電極が、前記第１方向及び前記第２方向の各々に配列され、各々が１つ以上の前記画素電極に対向するとともに互いに分離して設けられ、
前記複数のタッチ線は、各々に対応する前記共通電極に接続されており、
前記複数のタッチ線は、前記複数のデータ線及び前記ゲート引出線とは異なる層に設けられている、
請求項２に記載の液晶表示装置。
【請求項４】
前記複数のタッチ線は、前記第１方向に並ぶ複数の前記画素ごとに設けられている、
請求項３に記載の液晶表示装置。
【請求項５】
平面視において、前記複数のタッチ線の各々は、前記複数のデータ線の各々に重なっている、
請求項３又は４に記載の液晶表示装置。
【請求項６】
さらに、
前記第２方向に沿って延在し、前記複数のタッチ線と同層に形成され、かつ、前記複数の共通電極に接続されていない複数のダミータッチ線と、
前記第２方向に延在し、前記ゲート線に接続されない複数のダミーゲート引出線とを備え、
平面視において、前記複数のダミータッチ線の各々は、前記複数のダミーゲート引出線の各々に重なっている、
請求項５に記載の液晶表示装置。
【請求項７】
前記第１方向に隣り合う２つの前記画素の境界部は、前記データ線が配置される第１境界部と、前記ゲート引出線または前記ダミーゲート引出線が配置される第２境界部とを、交互に含む、
請求項６に記載の液晶表示装置。
【請求項８】
前記タッチ線は、前記第１境界部に配置され、前記ダミータッチ線は、前記第２境界部に配置される、
請求項７に記載の液晶表示装置。
【請求項９】
前記複数の画素は、赤色画素、緑色画素及び青色画素の３種類の画素によって構成されており、
前記赤色画素、前記緑色画素及び前記青色画素の３つの画素がこの順で１組となって前記第１方向に沿って繰り返して配列されている、
請求項６〜８のいずれか１項に記載の液晶表示装置。
【請求項１０】
前記複数の画素は、赤色画素、緑色画素及び青色画素の３種類の画素を含み、
前記複数のタッチ線の各々は、前記緑色画素及び前記青色画素との間のみに設けられている、
請求項４に記載の液晶表示装置。
【請求項１１】
さらに、前記第２方向に沿って延在し、ユーザが前記液晶表示装置をタッチしたときのタッチ位置を検出するための複数のタッチ線を備え、
複数の前記共通電極が、前記第１方向及び前記第２方向の各々に配列され、各々が１つ以上の前記画素電極に対向するとともに互いに分離して設けられ、
前記複数のタッチ線は、各々に対応する前記共通電極に接続されており、
前記複数の画素は、赤色画素、緑色画素及び青色画素の３種類の画素によって構成されており、
前記赤色画素、前記緑色画素、前記青色画素、前記緑色画素、前記青色画素及び前記赤色画素の６つの画素がこの順で１組となって前記第１方向に沿って繰り返して配列されており、
平面視において、前記複数のタッチ線の各々は、前記複数のデータ線の各々に重なっている、
請求項２に記載の液晶表示装置。
【請求項１２】
さらに、前記第２方向に沿って延在し、ユーザが前記液晶表示装置をタッチしたときのタッチ位置を検出するための複数のタッチ線を備え、
複数の前記共通電極が、前記第１方向及び前記第２方向の各々に配列され、各々が１つ以上の前記画素電極に対向するとともに互いに分離して設けられ、
前記複数のタッチ線は、各々に対応する前記共通電極に接続されており、
前記複数のデータ線は、前記第１方向に並ぶ２つの前記画素ごとに設けられており、
前記複数のゲート引出線及び前記複数のタッチ線は、前記データ線が設けられていない前記画素の境界部ごとに、１本ずつ交互に設けられており、
前記複数のデータ線、前記複数のゲート引出線及び前記複数のタッチ線は、同層に形成されている、
請求項１に記載の液晶表示装置。
【請求項１３】
前記複数の画素は、赤色画素、緑色画素及び青色画素の３種類の画素によって構成されており、
前記赤色画素、前記緑色画素及び前記青色画素の３つの画素がこの順で１組となって前記第１方向に沿って繰り返して配列されている、
請求項１２に記載の液晶表示装置。
【請求項１４】
前記複数のゲート線は、前記第２方向に隣り合う２つの前記画素の境界部ごとに２本ずつ設けられている、
請求項１〜１３のいずれか１項に記載の液晶表示装置。
【発明の詳細な説明】
【技術分野】
【０００１】
本開示は、液晶表示装置に関する。
【背景技術】
【０００２】
液晶表示装置は、低消費電力で画像を表示することができるため、テレビ又はモニタ等の画像表示装置として利用されている。液晶表示装置は、行列状に配列された複数の画素の各々に設けられたトランジスタと、行方向に延在する複数のゲート線と、列方向に延在する複数のデータ線とを備える。また、液晶表示装置の額縁領域には、複数のゲート線にゲート信号を供給するゲートドライバと、複数のソース線にデータ信号を供給するソースドライバとが実装される。
【０００３】
一般的に、ゲートドライバとソースドライバとは額縁領域の異なる辺に設けられるが、狭額縁化等を目的として、ゲートドライバとソースドライバとを額縁領域の同じ辺に設ける技術も知られている（例えば、特許文献１）。
【先行技術文献】
【特許文献】
【０００４】
【特許文献１】特表２００８−５０１１３８号公報
【発明の概要】
【発明が解決しようとする課題】
【０００５】
上記のように、ゲートドライバとソースドライバとを額縁領域の同じ辺に設けると、ゲート線が延在する方向の延長上にゲートドライバが存在しなくなるので、ゲート線を行方向に沿って額縁領域にまで引き延ばしたとしても、ゲート線をゲートドライバに接続することができない。
【０００６】
そこで、ゲート線とゲートドライバとを接続するために、中継配線として、ゲート線と直交する方向に延在するゲート引出線を別途形成して、ゲート引出線を介してゲート線とゲートドライバとを接続することが考えられる。
【０００７】
この場合、ゲート引出線は、データ線と同じ方向に延在することになるので、製造工程でのマスク数の増加を抑えるために、ゲート引出線とデータ線とを同層に形成することが考えられる。
【０００８】
しかしながら、ゲート引出線とデータ線とを同じ方向に延在させて且つ同層に形成すると、データ線が配置された画素間にゲート引出線までも配置されてしまうこととなり、１つの画素間にゲート引出線とデータ線との２本の配線が並ぶことになる。この結果、画素の開口率や透過率が低下し、画像品位が低下する。
【０００９】
本開示は、このような課題を解決するためになされたものであり、ゲート線に交差するゲート引出線とデータ線とが同じ方向に延在し且つ同層に形成されていたとしても、画像品位が低下することを抑制できる液晶表示装置を提供することを目的とする。
【課題を解決するための手段】
【００１０】
上記目的を達成するために、本開示に係る液晶表示装置の一態様は、第１方向と前記第１方向に交差する第２方向とに配列された複数の画素によって構成された画像表示領域を有する液晶表示装置であって、前記複数の画素の各々に設けられたトランジスタ及び画素電極と、前記画素電極に対向する共通電極と、前記第１方向に沿って延在し、前記複数の画素の各々における前記トランジスタにゲート信号を供給する複数のゲート線と、前記第２方向に延在し、前記複数のゲート線との複数の交差部のうちの少なくとも１箇所で前記ゲート線に接続される複数のゲート引出線と、前記第２方向に沿って延在し、前記複数の画素の各々における前記トランジスタにデータ信号を供給する複数のデータ線とを備え、前記複数の画素は、前記第１方向に沿って周期的に繰り返して配列された複数種の画素によって構成されており、前記複数のデータ線と前記複数のゲート引出線とは、同層に形成されており、かつ、前記第１方向に隣り合う２つの前記画素の境界部ごとに周期的に繰り返して設けられている。
【発明の効果】
【００１１】
本開示に係る液晶表示装置によれば、ゲート線に交差するゲート引出線とデータ線とが同じ方向に延在し且つ同層に形成されていたとしても、画像品位が低下することを抑制できる。
【図面の簡単な説明】
【００１２】
【図１】実施の形態１に係る液晶表示装置の概略構成を模式的に示す図である。
【図２】実施の形態１に係る画像表示装置に用いられる液晶表示装置の画素回路を示す図である。
【図３】実施の形態１に係る液晶表示装置における共通電極の配置の一例を示す図である。
【図４Ａ】液晶表示装置における画像表示駆動とタッチ位置検出駆動との一例を示す図である。
【図４Ｂ】液晶表示装置における画像表示駆動とタッチ位置検出駆動との他の一例を示す図である。
【図５】実施の形態１に係る液晶表示装置の画素におけるトランジスタの周辺の構成を示す断面図である。
【図６】実施の形態１に係る液晶表示装置におけるタッチ線の周辺の構成を示す断面図である。
【図７】実施の形態１に係る液晶表示装置の第１態様における画素配列と配線との関係を示す図である。
【図８】実施の形態１に係る液晶表示装置の第２態様における画素配列と配線との関係を示す図である。
【図９】実施の形態１に係る液晶表示装置の第３態様における画素配列と配線との関係を示す図である。
【図１０】実施の形態１に係る液晶表示装置の第４態様における画素配列と配線との関係を示す図である。
【図１１】実施の形態２に係る液晶表示装置における画素配列と配線との関係を示す図である。
【図１２】実施の形態３に係る液晶表示装置における画素配列と配線との関係を示す図である。
【発明を実施するための形態】
【００１３】
以下、本開示の実施の形態について説明する。なお、以下に説明する実施の形態は、いずれも本開示の一具体例を示すものである。したがって、以下の実施の形態で示される、数値、形状、材料、構成要素、及び、構成要素の配置位置や接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１４】
各図は模式図であり、必ずしも厳密に図示されたものではない。したがって、各図において縮尺等は必ずしも一致していない。また、各図において、実質的に同一の構成に対しては同一の符号を付しており、重複する説明は省略又は簡略化する。
【００１５】
（実施の形態１）
実施の形態１に係る液晶表示装置１を用いた画像表示装置２の概略構成について、図１〜図３を用いて説明する。図１は、実施の形態１に係る画像表示装置２の概略構成を模式的に示す図である。図２は、同画像表示装置２に用いられる液晶表示装置１の画素回路を示す図である。図３は、同液晶表示装置１における共通電極３０の配置の一例を示す図である。なお、図２において、「Ｇ」はゲート線４０を示し、「Ｄ」はデータ線５０を示し、「Ｔ」はタッチ線６０を示し、「ＶＧ」は、ゲート引出線４１を示し、「ｄｍｙＴ」は、ダミータッチ線６０Ａを示し、「ｄｍｙＶＧ」は、ダミーゲート引出線４１Ａを示している。また、図３において、黒丸は、各共通電極３０とタッチ線６０とのコンタクト部を示している。
【００１６】
画像表示装置２は、静止画像又は動画像の画像（映像）を表示する表示装置の一例である。図１に示すように、画像表示装置２は、液晶表示装置１と、バックライト３と、画像処理部４とを備える。
【００１７】
液晶表示装置１は、画像が表示される液晶表示パネルである。液晶表示装置１は、バックライト３の光出射側に配置される。したがって、液晶表示装置１には、バックライト３から出射した光が入射する。
【００１８】
液晶表示装置１の液晶駆動方式は、例えばＩＰＳ（Ｉｎ−Ｐｌａｎｅ  Ｓｗｉｔｃｈｉｎｇ）方式及びＦＦＳ（Ｆｒｉｎｇｅ  Ｆｉｅｌｄ  Ｓｗｉｔｃｈｉｎｇ）方式等の横電界方式である。また、液晶表示装置１は、例えば、ノーマリーブラック方式により電圧の制御が行われるが、電圧制御の方式は、ノーマリーブラック方式に限らない。
【００１９】
図１及び図２に示すように、液晶表示装置１は、画像表示領域１ａ（アクティブ領域）と、画像表示領域１ａを囲む額縁領域１ｂとを有する。画像表示領域１ａには、カラー画像又はモノクロ画像が表示される。
【００２０】
画像表示領域１ａは、画像が表示される表示領域（有効領域）であり、例えば、第１方向と第１方向に交差する第２方向とに配列された複数の画素ＰＸによって構成されている。本実施の形態において、第１方向と第２方向とは直交している。具体的には、第１方向は、行方向であり、第２方向は、行方向に直交する列方向である。したがって、画像表示領域１ａは、行方向と列方向とに配列された複数の画素ＰＸによって構成されている。つまり、複数の画素ＰＸは、マトリクス状に配列されている。
【００２１】
額縁領域１ｂは、液晶表示装置１の周辺領域であって、画像表示領域１ａの外側に位置する領域である。また、額縁領域１ｂは、画像が表示されない非表示領域（無効領域）である。本実施の形態において、液晶表示装置１の平面視形状は、矩形状である。したがって、画像表示領域１ａの平面視形状は、矩形状であり、額縁領域１ｂの平面視形状は、矩形枠状である。
【００２２】
複数の画素ＰＸは、行方向に沿って周期的に繰り返して配列された複数種の画素によって構成されている。具体的には、複数の画素ＰＸは、赤色画素ＰＸＲ、緑色画素ＰＸＧ及び青色画素ＰＸＢの３種類の画素によって構成されている。この場合、本実施の形態では、赤色画素ＰＸＲ、緑色画素ＰＸＧ及び青色画素ＰＸＢの３つの画素がこの順で１組となって行方向に沿って繰り返して配列されている。なお、列方向には、同一種類の画素ＰＸが配列されている。
【００２３】
図２に示すように、液晶表示装置１は、複数の画素ＰＸの各々に設けられたトランジスタ１０及び画素電極２０と、画素電極２０に対向する共通電極３０とを備える。
【００２４】
また、液晶表示装置１は、第１方向である行方向に延在する複数のゲート線４０（走査線）と、第１方向に直交する第２方向である列方向に延在する複数のデータ線５０（映像信号線）とを備える。
【００２５】
液晶表示装置１は、さらに、ゲート線４０に接続されたゲート引出線４１と、ゲート線４０に接続されていないダミーゲート引出線４１Ａとを備える。本実施の形態において、ゲート引出線４１とダミーゲート引出線４１Ａとは、複数本ずつ設けられている。複数のゲート引出線４１と複数のダミーゲート引出線４１Ａとは、複数のデータ線５０と同じ方向に延在している。つまり、複数のゲート引出線４１及び複数のダミーゲート引出線４１Ａは、タッチ線６０と同様に、列方向に延在している。したがって、複数のゲート引出線４１及び複数のダミーゲート引出線４１Ａは、複数のデータ線５０と同じ方向に延在しているとともに、複数のゲート線４０と直交している。
【００２６】
また、本実施の形態における液晶表示装置１は、表示機能だけではなく、タッチ機能を有するインセル型の液晶表示パネル（インセルタッチパネル）である。したがって、液晶表示装置１は、さらに、ユーザが液晶表示装置１をタッチしたときのタッチ位置を検出するための複数のタッチ線６０を備える。複数のタッチ線６０は、複数のデータ線５０と同じ方向に延在している。具体的には、複数のタッチ線６０は、列方向に延在している。
【００２７】
さらに、本実施の形態における液晶表示装置１は、ユーザが液晶表示装置１をタッチしたときのタッチ位置を検出することに寄与しないダミータッチ線６０Ａを備える。本実施の形態において、ダミータッチ線６０Ａは、複数本設けられている。複数のダミータッチ線６０Ａは、複数のデータ線５０と同じ方向に延在している。つまり、複数のダミータッチ線６０Ａは、タッチ線６０と同様に、列方向に延在している。
【００２８】
各画素ＰＸに設けられたトランジスタ１０は、薄膜トランジスタ（ＴＦＴ；Ｔｈｉｎ  Ｆｉｌｍ  Ｔｒａｎｓｉｓｔｏｒ）であり、ゲート電極１０Ｇ、ソース電極１０Ｓ及びドレイン電極１０Ｄを有する。なお、本明細書において、ソース電極１０Ｓ及びドレイン電極１０Ｄは、まとめてソースドレイン電極と記載することもあり、ソースドレイン電極とは、ソース電極１０Ｓ及びドレイン電極１０Ｄの少なくとも一方のこと、ソース電極１０Ｓ及びドレイン電極１０Ｄのいずれかのみのこと、あるいは、ソース電極１０Ｓ及びドレイン電極１０Ｄの両方のことを意味する。
【００２９】
画素電極２０は、複数の画素ＰＸの各々に設けられている。画素電極２０は、複数の画素ＰＸの各々において、当該画素ＰＸに対応するトランジスタ１０を介して当該画素ＰＸに対応するゲート線４０及びデータ線５０と接続されている。
【００３０】
本実施の形態において、トランジスタ１０及び画素電極２０は、各画素ＰＸに１つずつ設けられているが、トランジスタ１０及び画素電極２０は、各画素ＰＸに複数ずつ設けられていてもよい。
【００３１】
各画素ＰＸにおける画素電極２０は、例えば、ストライプ状の複数本のライン電極を有する。一例として、画素電極２０は、櫛歯状の電極又は複数のスリットが形成された電極である。なお、各画素電極２０における複数本のライン電極は、列方向に隣り合う２つの画素ＰＸで直線状のライン電極の向きを反転させて列方向の２画素分で略「く」の字状となるように形成されていてもよいし、１つの画素ＰＸ内で「く」の字状に屈曲されていてもよい。
【００３２】
共通電極３０は、画素電極２０に対向する対向電極である。図３に示すように、本実施の形態において、共通電極３０は、複数設けられている。複数の共通電極３０は、行方向及び列方向の各々に配列されている。つまり、複数の共通電極３０は、マトリクス状に配列されている。複数の共通電極３０の各々には、同一の共通電圧（Ｖｃｏｍ）が印加される。
【００３３】
複数の共通電極３０の各々は、矩形状であり、１つ以上の画素電極２０に対向している。本実施の形態において、複数の共通電極３０の各々は、複数の画素ＰＸにわたって設けられた矩形状であり、矩形領域に存在する複数の画素ＰＸに対応する複数の画素電極２０に対向している。例えば、複数の共通電極３０は、一辺が数十〜数十個の複数の画素ＰＸからなる矩形状に形成されている。
【００３４】
本実施の形態における液晶表示装置１は、自己容量方式の静電容量方式によるタッチセンシング機能を有する液晶表示パネルである。したがって、共通電極３０は、画素電極２０との間で容量を形成するタッチ電極でもある。つまり、共通電極３０は、画素電極２０と対になって、画像表示駆動の際に用いられるだけではなく、タッチ位置検出駆動の際にも用いられる。複数の共通電極３０の各々は、タッチ位置を検出するための単位電極（タッチ電極）である。このように、タッチ位置検出駆動の際、共通電極３０は、各々が１つ以上の画素電極２０に対向するとともに互いに分離して設けられた複数のタッチ電極として構成される。
【００３５】
複数の共通電極３０は、マトリクス状に配列されており、行方向に延在する配線（ゲート線４０）上と、列方向に延在する配線（データ線５０、ゲート引出線４１、ダミーゲート引出線４１Ａ、ダミータッチ線６０Ａ）上とを、分離領域として互いに分離されている。
【００３６】
１つの共通電極３０のサイズは、例えば、４０×４０画素分である。つまり、１つの共通電極３０の行方向及び列方向の長さが画素４０個分の長さである。この場合、１つの共通電極３０における１本のタッチ線６０とのコンタクト部は、４０ヵ所となる。なお、１つの共通電極３０のサイズは、これに限るものではなく、３２×３２画素分であってもよし、また、正方形に限らず、長方形であってもよい。
【００３７】
行方向に延在する複数のゲート線４０の各々は、複数の画素ＰＸの各々におけるトランジスタ１０にゲート信号を供給する。複数のゲート線４０の各々は、画像表示領域１ａ内において、列方向に隣り合う２つの画素ＰＸの境界部に設けられている。具体的には、各ゲート線４０は、列方向に隣り合う２の画素列の間に設けられている。複数のゲート線４０は、例えば、直線状に行方向に延在している。
【００３８】
各ゲート線４０は、行方向に配列された複数の画素ＰＸの各々のトランジスタ１０と接続されている。つまり、各ゲート線４０は、各画素ＰＸにおいて、１つのトランジスタ１０と接続されている。具体的には、各ゲート線４０は、各トランジスタ１０のゲート電極１０Ｇと接続されている。
【００３９】
本実施の形態において、液晶表示装置１は、デュアルゲート構造であり、２Ｇ１Ｄの配線接続構造を有している。したがって、複数のゲート線４０は、列方向に隣り合う２つの画素ＰＸの境界部ごとに２本ずつ設けられている。つまり、列方向に隣り合う２つの画素列の境界部ごとに、ゲート線４０が２本ずつ設けられている。
【００４０】
列方向に延在する複数のゲート引出線４１及び列方向に延在する複数のダミーゲート引出線４１Ａの各々は、データ線５０と同様に、画像表示領域１ａ内において、行方向に隣り合う２つの画素ＰＸの境界部に設けられている。具体的には、各ゲート引出線４１及び各ダミーゲート引出線４１Ａは、行方向に隣り合う２つの画素列の間に設けられている。複数のゲート引出線４１及び複数のダミーゲート引出線４１Ａの各々は、例えば、直線状に行方向に延在しているが、画素毎に向きを反転させて列方向に沿ってジグサグ状となるように形成されていてもよい。
【００４１】
複数のゲート引出線４１及び複数のダミーゲート引出線４１Ａは、複数のゲート線４０と直交している。本実施の形態において、複数のゲート引出線４１及び複数のダミーゲート引出線４１Ａは、データ線５０と同層に形成されている。したがって、複数のゲート引出線４１及び複数のダミーゲート引出線４１Ａと、複数のゲート線４０とは、絶縁膜を介して立体交差している。
【００４２】
複数のゲート引出線４１の各々は、ゲートドライバ５から出力されるゲート信号を、当該ゲート引出線４１に対応するゲート線４０に供給する。つまり、各ゲート引出線４１は、中継配線として、ゲートドライバ５から出力されるゲート信号をゲート線４０に供給するための中継配線である。したがって、複数のゲート引出線４１は、複数のゲート線４０と複数のゲート引出線４１との複数の交差部のうちの少なくとも１箇所でゲート線４０と接続されている。つまり、複数のゲート線４０の各々は、１つ以上のゲート引出線４１と電気的に接続されている。具体的には、複数のゲート線４０と複数のゲート引出線４１とは、画像表示領域１ａ内における複数のゲート線４０と複数のゲート引出線４１との複数の立体交差部のうちの少なくとも１箇所において、ゲートコンタクトホールを介して接続されている。
【００４３】
例えば、１本のゲート線４０と１本のゲート引出線４１とは、１箇所で接続されている。したがって、各ゲート線４０は、１箇所のゲートコンタクトホールにおいて１本のゲート引出線４１に接続されている。なお、１本のゲート線４０が２本以上の複数本のゲート引出線４１に接続されていてもよい。この場合、１本のゲート線４０は、複数箇所のゲートコンタクトホールにおいて複数本のゲート引出線４１に接続される。
【００４４】
このように、本実施の形態における液晶表示装置１では、ゲートドライバ５から出力されるゲート信号用の配線として、行方向に延在する横ゲート線であるゲート線４０と列方向に延在する縦ゲート線であるゲート引出線４１とが設けられている。
【００４５】
また、複数のダミーゲート引出線４１Ａの各々は、ゲート線４０と立体交差しているが、ゲート線４０には接続されていない。したがって、各ダミーゲート引出線４１Ａには、ゲート信号が供給されない。なお、ダミーゲート引出線４１Ａには、共通電圧（Ｖｃｏｍ）等の所定の電圧が印加されていてもよいし、所定の電圧が印加されなくてもよい。つまり、ダミーゲート引出線４１Ａは、フローティングであってもよい。
【００４６】
列方向に延在する複数のデータ線５０の各々は、複数の画素ＰＸの各々におけるトランジスタ１０にデータ信号（映像信号）を供給する。複数のデータ線５０の各々は、画像表示領域１ａ内において、行方向に隣り合う２つの画素ＰＸの境界部に設けられている。具体的には、各データ線５０は、行方向に隣り合う２つの画素列の間に設けられている。本実施の形態において、複数のデータ線５０と複数のゲート引出線４１及び複数のダミーゲート引出線４１Ａとは、同層に形成されている。また、複数のデータ線５０と複数のゲート引出線４１とは、行方向に隣り合う２つの画素ＰＸの境界部ごとに周期的に繰り返して設けられている。具体的には、複数のデータ線５０と複数のゲート引出線４１とは、行方向に隣り合う２つの画素ＰＸの境界部ごとに１本ずつ交互に設けられている。つまり、複数のデータ線５０と複数のゲート引出線４１とは、列方向に並ぶ複数の画素ＰＸからなる画素列ごとに１本ずつ交互に設けられている。例えば、データ線５０とゲート引出線４１とは、画素列の奇数ライン又は偶数ラインに分けて配置される。
【００４７】
各データ線５０は、列方向に配列された複数の画素ＰＸの各々のトランジスタ１０と接続されている。つまり、各データ線５０は、各画素ＰＸにおいて、１つのトランジスタ１０と接続されている。具体的には、各データ線５０は、各トランジスタ１０のドレイン電極１０Ｄと接続されている。つまり、本実施の形態において、データ線５０は、ドレイン線である。なお、複数のデータ線５０の各々は、例えば、直線状に行方向に延在しているが、画素毎に向きを反転させて列方向に沿ってジグサグ状となるように形成されていてもよい。
【００４８】
列方向に延在する複数のタッチ線６０の各々は、データ線５０と同様に、画像表示領域１ａ内において、行方向に隣り合う２つの画素ＰＸの境界部に設けられている。具体的には、タッチ線６０は、行方向に隣り合う２つの画素列の間に設けられている。複数のタッチ線６０の各々は、例えば、直線状に行方向に延在しているが、画素毎に向きを反転させて列方向に沿ってジグサグ状となるように形成されていてもよい。
【００４９】
図３に示すように、複数のタッチ線６０は、複数の共通電極３０のうち列方向に配列された複数の共通電極３０と一対一で接続されている。具体的には、列方向に配列された複数の共通電極３０の各列における複数のタッチ線６０（列タッチ線群）の各々は、当該列に含まれる複数の共通電極３０の全てを横断するように設けられているが、当該列に含まれる複数の共通電極３０のいずれか１つのみに接続されている。したがって、各共通電極３０は、当該共通電極３０を横断する複数のタッチ線６０のうちのいずれか１つと接続されているが、他の残りのタッチ線６０とは接続されておらず絶縁されている。列方向に並ぶ共通電極３０を跨るタッチ線６０の本数は、列方向に並ぶ共通電極３０と同数あればよい。
【００５０】
タッチ線６０と共通電極３０とは絶縁膜を介して形成されており、タッチ線６０と当該タッチ線６０に対応する共通電極３０とは絶縁膜に形成されたコンタクトホールを介して接続されている。このコンタクトホールは、タッチ線６０と共通電極３０とを接続するコンタクト部になる。
【００５１】
複数のタッチ線６０は、複数のデータ線５０、ゲート引出線４１及びダミーゲート引出線４１Ａと同じ方向に延在しているが、複数のデータ線５０、ゲート引出線４１及びダミーゲート引出線４１Ａとは異なる層に設けられている。なお、複数のタッチ線６０の各々は、平面視において、複数のデータ線５０の各々に重なっているとよい。
【００５２】
列方向に延在する複数のダミータッチ線６０Ａの各々は、データ線５０と同様に、画像表示領域１ａ内において、行方向に隣り合う２つの画素ＰＸの境界部に設けられている。具体的には、ダミータッチ線６０Ａは、行方向に隣り合う２つの画素列の間に設けられている。本実施の形態において、ダミータッチ線６０Ａは、ダミーゲート引出線４１Ａが配置された画素列の間に設けられているが、これに限らない。また、ダミータッチ線６０Ａは、行方向に隣り合う２つの共通電極３０を分離する分離領域（タッチ電極境界）に設けられている。複数のタッチ線６０の各々は、例えば、直線状に行方向に延在しているが、画素毎に向きを反転させて列方向に沿ってジグサグ状となるように形成されていてもよい。
【００５３】
ダミータッチ線６０Ａは、タッチ線６０とは異なり、タッチ位置を検出することに寄与しない。したがって、ダミータッチ線６０Ａは、共通電極３０には接続されていない。具体的には、列方向に隣り合う２つの共通電極３０の間に設けられるダミータッチ線６０Ａは、共通電極３０と重なっていない。したがって、ダミータッチ線６０Ａと共通電極３０とを接続するコンタクト部が形成されていない。
【００５４】
複数のダミータッチ線６０Ａは、複数のデータ線５０、ゲート引出線４１及びダミーゲート引出線４１Ａと同じ方向に延在しているが、複数のダミータッチ線６０Ａは、複数のデータ線５０、ゲート引出線４１及びダミーゲート引出線４１Ａとは異なる層に設けられている。本実施の形態において、ダミータッチ線６０Ａは、タッチ線６０と同層に形成されている。
【００５５】
ダミータッチ線６０Ａは、ダミーゲート引出線４１Ａが配置された画素列間と同じ画素間に設けられている。この場合、複数のダミータッチ線６０Ａの各々は、平面視において、複数のダミーゲート引出線４１Ａの各々に重なっているとよい。
【００５６】
本実施の形態において、ダミータッチ線６０Ａは、画像表示領域１ａ内では、どの配線にも接続されていないが、額縁領域１ｂに引き出されて、ダミータッチ線６０Ａには、固定電圧が印加されている。具体的には、ダミータッチ線６０Ａと共通電極３０とが同電位となるように、ダミータッチ線６０Ａには、共通電極３０と同様に共通電圧（Ｖｃｏｍ）が印加される。なお、ダミータッチ線６０Ａに印加される電圧は、共通電圧に限らず、ゲートオフ電圧（Ｖｇｏｆｆ）等の所定の電圧であってもよい。また、ダミータッチ線６０Ａには、所定の電圧が印加されなくてもよい。つまり、ダミータッチ線６０Ａは、フローティングであってもよい。
【００５７】
図１に示すように、液晶表示装置１は、入力された映像信号に応じた画像を表示するために、ゲートドライバ５及びソースドライバ６を有する。ゲートドライバ５及びソースドライバ６は、例えばドライバＩＣ（ＩＣパッケージ）である。
【００５８】
ゲートドライバ５及びソースドライバ６は、液晶表示装置１の額縁領域１ｂに実装される。具体的には、ゲートドライバ５及びソースドライバ６は、ＣＯＦ（Ｃｈｉｐ  ｏｎ  Ｆｉｌｍ）方式又はＣＯＧ（Ｃｈｉｐ  ｏｎ  Ｇｌａｓｓ）方式によって液晶表示装置１の端部に実装される。
【００５９】
ゲートドライバ５及びソースドライバ６をＣＯＦ方式によって実装する場合、ＦＦＣ（Ｆｌｅｘｉｂｌｅ  Ｆｌａｔ  Ｃａｂｌｅ）又はＦＰＣ（Ｆｌｅｘｉｂｌｅ  Ｐｒｉｎｔｅｄ  Ｃａｂｌｅ）等のフレキシブル配線基板にゲートドライバ５又はソースドライバ６が実装された異方性導電性フィルム（ＡＣＦ；Ａｎｉｓｏｔｒｏｐｉｃ  Ｃｏｎｄｕｃｔｉｖｅ  Ｆｉｌｍ）からなるＣＯＦを、熱圧着によって液晶表示装置１の端部に設けられた電極端子に接続する。
【００６０】
一方、ゲートドライバ５及びソースドライバ６をＣＯＧ方式によって実装する場合、液晶表示装置１のアクティブマトリクス基板にゲートドライバ５及びソースドライバ６を直接実装する。
【００６１】
なお、ゲートドライバ５及びソースドライバ６の両方をＣＯＦ方式又はＣＯＧ方式によって実装することに限らず、ゲートドライバ５及びソースドライバ６の一方をＣＯＦ方式で実装し、他方をＣＯＧ方式によって実装してもよい。
【００６２】
図２に示すように、ゲートドライバ５は、ゲート線４０に電気的に接続されている。本実施の形態において、ゲートドライバ５は、ゲート引出線４１を介してゲート線４０と電気的に接続されている。ゲートドライバ５は、画像処理部４から入力されるタイミング信号に応じてデータ信号を書き込む画素ＰＸを選択し、選択した画素ＰＸのトランジスタ１０をオンする電圧（ゲートオン電圧；Ｖｇｏｎ）をゲート線４０に供給する。これにより、選択された画素ＰＸの画素電極２０には、トランジスタ１０を介してデータ電圧が供給される。
【００６３】
ソースドライバ６は、液晶表示装置１のデータ線５０に接続されている。ソースドライバ６は、ゲートドライバ５によるゲート線４０の選択に合わせて、画像処理部４から入力される映像信号に応じた電圧（データ電圧）をデータ線５０に供給する。
【００６４】
本実施の形態では、ソースドライバ６として、タッチ機能付きソースドライバを用いている。タッチ機能付きソースドライバは、画像表示駆動を行う際に必要な画像表示回路とタッチ位置検出駆動を行う際に必要なタッチ位置検出回路とが共用化されたドライバである。本実施の形態において、複数のデータ線５０と複数のタッチ線６０とは、タッチ機能付きソースドライバであるソースドライバ６に接続されている。また、タッチ線６０をコモン線として利用することで、タッチ機能付きソースドライバは、コモン線を介して共通電極３０に共通電圧（Ｖｃｏｍ）を供給する。
【００６５】
ゲートドライバ５及びソースドライバ６は、額縁領域１ｂにおける一対の辺のうちの一方に実装されている。つまり、ゲートドライバ５及びソースドライバ６は、額縁領域１ｂの同じ辺に設けられている。
【００６６】
具体的には、ゲートドライバ５及びソースドライバ６は、液晶表示装置１の列方向側の端部に実装される。なお、ゲートドライバ５とソースドライバ６の実装箇所はこれに限るものではなく、ゲートドライバ５及びソースドライバ６が、額縁領域１ｂの異なる辺に実装されていてもよい。
【００６７】
バックライト３は、図１に示すように、液晶表示装置１の背面側に配置されており、液晶表示装置１に向けて光を照射する。本実施の形態において、バックライト３は、ＬＥＤ（Ｌｉｇｈｔ  Ｅｍｉｔｔｉｎｇ  Ｄｉｏｄｅ）を光源とするＬＥＤバックライトであるが、これに限るものではない。また、バックライト３は、液晶表示装置１に対面するようにＬＥＤが基板上に二次元状に配列された直下型のＬＥＤバックライトであるが、エッジ型のバックライトであってもよい。バックライト３は、平面状の均一な散乱光（拡散光）を照射する面発光ユニットである。なお、バックライト３は、光源からの光を拡散させるために拡散板（拡散シート）等の光学部材を有していてもよい。
【００６８】
画像処理部４は、ＣＰＵ等の演算処理回路と、ＲＯＭやＲＡＭ等のメモリとを備える制御装置である。画像処理部４には、液晶表示装置１に表示するための映像データが入力される。画像処理部４は、ＣＰＵがメモリに格納されたプログラムを読み出して実行することにより各種の処理を実行する。具体的には、画像処理部４は、外部のシステム（図示せず）から入力された映像データに対して色調整等の各種の画像信号処理を行って各画素ＰＸの階調値を示す映像信号と、各画素ＰＸに映像信号を書き込むタイミングを示すタイミング信号とを生成するタイミングコントローラ等を含む。画像処理部４は、映像信号をソースドライバ６に出力するとともにタイミング信号をゲートドライバ５に出力する。
【００６９】
本実施の形態における液晶表示装置１は、表示機能及びタッチ機能を有する。つまり、液晶表示装置１は、画像表示駆動とタッチ位置検出駆動とを行う。この場合、液晶表示装置１では、タッチ線６０を利用して、時分割によって画像表示駆動とタッチ位置検出駆動とを行う。例えば、図４Ａ及び図４Ｂに示すように、１フレーム期間（１６．６ｍｓ）内に画像表示駆動とタッチ位置検出駆動とを交互に複数回繰り返して行う。この場合、タッチ位置検出駆動は、例えばブランキング期間を利用して行うことができる。
【００７０】
液晶表示装置１が画像表示駆動を行う際、ゲートドライバ５からのゲートオン電圧がゲート引出線４１を介してゲート線４０に供給される。これにより、選択された画素ＰＸのトランジスタ１０がオンし、このトランジスタ１０に接続されたデータ線５０からデータ電圧が画素電極２０に供給される。そして、画素電極２０に供給されたデータ電圧と共通電極３０に供給された共通電圧との差により液晶層に電界が生じる。この電界により各画素ＰＸにおける液晶層の液晶分子の配向状態が変化し、液晶表示装置１を通過するバックライト３の光の透過率が画素ＰＸごとに制御される。これにより、液晶表示装置１の画像表示領域１ａに所望の画像が表示される。
【００７１】
また、液晶表示装置１がタッチ位置検出駆動を行う際は、タッチ機能付きソースドライバであるソースドライバ６によって、タッチ線６０を介して複数の共通電極３０の各々の静電容量の変化をタッチ検出信号として検出する。これにより、タッチされた位置の共通電極３０を特定することができ、ユーザがタッチした位置を検知することができる。
【００７２】
なお、図４Ｂに示される制御は、図４Ａに示される制御と比べて、画像表示駆動及びタッチ位置検出駆動の１回あたりの駆動期間が長い。本実施の形態では、図４Ｂに示される制御と図４Ａに示される制御とのいずれを用いてもよい。ただし、図４Ｂに示される制御は、図４Ａに示される制御と比べて、タッチ位置検出駆動中の画像データをメモリに蓄える量が多くなるため、ＩＣドライバのチップサイズが大きくなる。
【００７３】
次に、液晶表示装置１の断面構造の一例について、図５及び図６を用いて説明する。図５は、実施の形態１に係る液晶表示装置１の画素ＰＸにおけるトランジスタ１０の周辺の構成を示す断面図である。図６は、同液晶表示装置１におけるタッチ線６０の周辺の構成を示す断面図である。
【００７４】
図５に示すように、液晶表示装置１は、第１基板１００と、第１基板１００に対向する第２基板２００と、第１基板１００と第２基板２００との間に配置された液晶層３００とを備えている。本実施の形態では、第１基板１００がバックライト３側に位置し、第２基板２００が観察者側に位置する。なお、図示しないが、液晶層３００は、枠状の封止部材によって第１基板１００と第２基板２００との間に封止されている。
【００７５】
第１基板１００は、トランジスタ１０としてＴＦＴを有するＴＦＴ基板である。具体的には、第１基板１００は、複数のトランジスタ１０がマトリクス状に配列されたアクティブマトリクス基板である。また、第１基板１００には、トランジスタ１０だけではなく、ゲート線４０、ゲート引出線４１、ダミーゲート引出線４１Ａ、データ線５０、タッチ線６０及びダミータッチ線６０Ａ等の各種配線、これらの配線間を絶縁する絶縁膜、画素電極２０及び共通電極３０等が設けられている。これらの部材は、第１透明基材１１０の上に形成される。第１透明基材１１０は、例えば、ガラス基板等の透明基板である。
【００７６】
図５に示すように、第１透明基材１１０に形成されたトランジスタ１０は、ゲート電極１０Ｇと、ソース電極１０Ｓと、ドレイン電極１０Ｄと、チャネル層となる半導体層１０ＳＣとによって構成されている。本実施の形態において、トランジスタ１０は、ボトムゲート構造のＴＦＴであり、第１透明基材１１０の上に形成されたゲート電極１０Ｇと、ゲート電極１０Ｇの上に形成されたゲート絶縁膜（ＧＩ）である第１絶縁膜１２１と、第１絶縁膜１２１を介してゲート電極１０Ｇの上方に形成された半導体層１０ＳＣとを備える。ソース電極１０Ｓ及びドレイン電極１０Ｄは、半導体層１０ＳＣの一部を覆うように形成されている。第１絶縁膜１２１は、ゲート電極１０Ｇを覆うように第１透明基材１１０の全面にわたって形成されている。
【００７７】
ゲート電極１０Ｇは、例えば、モリブデン膜と銅膜との２層構造からなる金属膜によって構成されていてもよいし、銅膜等からなる１層の金属膜によって構成されていてもよい。第１絶縁膜１２１は、例えば、酸化シリコン膜と窒化シリコン膜との２層構造の絶縁膜によって構成されていてもよいし、酸化シリコン膜又は窒化シリコン膜の１層の絶縁膜によって構成されていてもよい。半導体層１０ＳＣは、例えば、ｉ−アモルファスシリコン膜とｎ−アモルファスシリコン膜との２層構造からなる半導体膜によって構成されていてもよいし、ｉ−アモルファスシリコン膜の１層のみの半導体膜によって構成されていてもよい。ソース電極１０Ｓ及びドレイン電極１０Ｄは、例えば、モリブデン膜と銅膜との２層構造からなる金属膜によって構成されていてもよいし、銅膜等からなる１層の金属膜によって構成されていてもよい。
【００７８】
なお、ゲート電極１０Ｇ、ソース電極１０Ｓ、ドレイン電極１０Ｄ、半導体層１０ＳＣ及び第１絶縁膜１２１の材料は、これらに限定されるものではない。例えば、半導体層１０ＳＣの材料としては、Ｉｎ−Ｇａ−Ｚｎ−Ｏ系酸化物半導体等を用いてもよい。
【００７９】
図５に示すように、第１基板１００には、ゲート線４０及びデータ線５０が形成されている。ゲート線４０及びデータ線５０は、第１透明基材１１０の上に形成される。
【００８０】
ゲート線４０は、ゲート電極１０Ｇと同層に形成されている。つまり、ゲート線４０とゲート電極１０Ｇとは、同じ金属膜をパターニングすることによって形成される。ゲート線４０とゲート電極１０Ｇとは、メタル層である第１配線層（ＧＡＬ層）に形成されている。
【００８１】
データ線５０は、ソース電極１０Ｓ及びドレイン電極１０Ｄと同層に形成されている。つまり、データ線５０とソース電極１０Ｓ及びドレイン電極１０Ｄとは、同じ金属膜をパターニングすることによって形成される。データ線５０とソース電極１０Ｓ及びドレイン電極１０Ｄとは、第１配線層の上のメタル層である第２配線層（ＳＤ層）に形成されている。
【００８２】
なお、図示しないが、ゲート引出線４１及びダミーゲート引出線４１Ａは、データ線５０と同層に形成されている。つまり、ゲート引出線４１及びダミーゲート引出線４１Ａは、ＳＤ層に形成されており、ゲート引出線４１とダミーゲート引出線４１Ａとデータ線５０とソース電極１０Ｓ及びドレイン電極１０Ｄとは、同じ金属膜をパターニングすることによって形成される。
【００８３】
第１配線層（ＧＡＬ層）と第２配線層（ＳＤ層）との間には、第１絶縁層（ＧＩ層）として第１絶縁膜１２１が形成されている。第１絶縁膜１２１は、ゲート線４０及びゲート電極１０Ｇを覆うように第１透明基材１１０の全面にわたって形成されている。第１配線層、第１絶縁膜１２１及び第２配線層は、ＴＦＴであるトランジスタ１０が形成されたＴＦＴ層である。
【００８４】
なお、トランジスタ１０のソース電極１０Ｓは、コンタクトホールを介して画素電極２０に接続されている。一方、トランジスタ１０のドレイン電極１０Ｄは、データ線５０に接続されている。具体的には、データ線５０の一部がドレイン電極１０Ｄとなっている。
【００８５】
また、第１絶縁膜１２１の上には、データ線５０及びトランジスタ１０のソースドレイン電極を覆うように、第２絶縁層（ＰＡＳ層）として第２絶縁膜１２２が形成されている。つまり、データ線５０及びトランジスタ１０のソースドレイン電極は、第１絶縁膜１２１と第２絶縁膜１２２との間に形成されている。第２絶縁膜１２２は、第１絶縁膜１２１の全面にわたって形成されている。第２絶縁膜１２２は、例えば、窒化シリコン膜等の無機材料からなる無機絶縁膜によって構成されている。無機絶縁膜である第２絶縁膜１２２は、例えばＣＶＤ（Ｃｈｅｍｉｃａｌ  Ｖａｐｏｒ  Ｄｅｐｏｓｉｔｉｏｎ）法によって成膜することができる。
【００８６】
さらに、第２絶縁膜１２２の上には、第３絶縁層（ＯＰＡＳ層）として第３絶縁膜１２３が形成されている。第３絶縁膜１２３は、第２絶縁膜１２２の全面にわたって形成されている。本実施の形態において、第３絶縁膜１２３の厚さは、第２絶縁膜１２２の厚さよりも厚い。具体的には、第３絶縁膜１２３の厚さは、第２絶縁膜１２２の厚さの１０倍以上であり、一例として、３０００ｎｍである。これにより、ゲート線４０及びデータ線５０等の配線と共通電極３０との間の厚み方向の距離を大きくすることができるので、ゲート線４０及びデータ線５０等の配線と共通電極３０とで形成される寄生容量を軽減することができる。しかも、第３絶縁膜１２３を厚くすることで、トランジスタ１０、ゲート線４０及びデータ線５０を形成することで生じるＴＦＴ層の凹凸差を軽減してＴＦＴ層を平坦化することもできる。これにより、表面が平坦化された第３絶縁膜１２３を形成することができるので、第３絶縁膜１２３の直上の共通電極３０を平坦な平面状に形成することができる。つまり、第３絶縁膜１２３は、平坦化層として機能している。
【００８７】
また、第３絶縁膜１２３は、炭素を含む有機材料からなる有機絶縁膜によって構成されている。有機絶縁膜である第３絶縁膜１２３は、例えば液状の有機材料を塗布して硬化することによって形成することができる。これにより、第３絶縁膜１２３を容易に厚膜化することができるので、全ての画素ＰＸにわたって第３絶縁膜１２３の表面を容易に平坦にすることができる。
【００８８】
第３絶縁膜１２３の上には、タッチ線６０が形成されている。図示しないが、タッチ線６０と同層に形成されるダミータッチ線６０Ａも、第３絶縁膜１２３の上に形成される。タッチ線６０及びダミータッチ線６０Ａは、金属等の低抵抗材料によって構成されている。例えば、タッチ線６０及びダミータッチ線６０Ａは、銅等によって構成された金属膜である。本実施の形態において、タッチ線６０及びダミータッチ線６０Ａは、銅膜からなる銅線である。タッチ線６０及びダミータッチ線６０Ａは、第２配線層の上のメタル層である第３配線層（ＣＭＴ層）に形成されている。したがって、タッチ線６０及びダミータッチ線６０Ａは、ゲート線４０及びデータ線５０とは異なる層に設けられている。
【００８９】
第３絶縁膜１２３とタッチ線６０の上には、第４絶縁層（ＴＰＳ層）として第４絶縁膜１２４が形成されている。なお、第３絶縁膜１２３は、タッチ線６０と同層に形成されるダミータッチ線６０Ａも覆っている。したがって、タッチ線６０及びダミータッチ線６０Ａは、第３絶縁膜１２３と第４絶縁膜１２４との間に形成されている。第４絶縁膜１２４は、タッチ線６０及びダミータッチ線６０Ａを覆うように第３絶縁膜１２３の全面にわたって形成されている。第４絶縁膜１２４は、例えば、窒化シリコン膜等の無機材料からなる無機絶縁膜によって構成されている。
【００９０】
第４絶縁膜１２４の上には、共通電極３０が形成されている。共通電極３０は、例えば、インジウム錫酸化物（ＩＴＯ：Ｉｎｄｉｕｍ  Ｔｉｎ  Ｏｘｉｄｅ）等の透明金属酸化物によって構成された透明電極である。本実施の形態において、共通電極３０は、ＩＴＯ膜である。共通電極３０は、第３配線層の上の第４配線層（ＭＩＴ層）に形成されている。
【００９１】
上述のように、共通電極３０は複数形成されている。具体的には、図３に示すように、共通電極３０は、行方向及び列方向に互いに分離した状態でマトリクス状に配置されている。
【００９２】
また、複数の共通電極３０は、画像表示領域１ａ内の全ての画素ＰＸにわたって形成されている。これにより、ゲート線４０及びデータ線５０等の配線が共通電極３０によって覆われるので、ゲート線４０及びデータ線５０等の配線で発生する電界を共通電極３０によって遮蔽することができる。つまり、ＴＦＴ層で発生する電界を共通電極３０によってシールドすることができる。したがって、共通電極３０の上に形成される画素電極２０の形状及び大きさの設計の自由度が向上するので、画素ＰＸの光透過率及び開口率を容易に向上させることができる。
【００９３】
図６に示すように、共通電極３０は、第４絶縁膜１２４に形成されたコンタクトホール１２４ａを介して１本のタッチ線６０に接続されている。これにより、タッチ位置検出駆動を行う際に、ユーザがタッチした位置の共通電極３０の容量変化を、当該共通電極３０に接続されたタッチ線６０を介して検出することができる。
【００９４】
また、ＩＴＯ膜は比較的に抵抗値が高いが、このように低抵抗の金属膜からなるタッチ線６０を共通電極３０に接続することによって、ＩＴＯ膜からなる共通電極３０を低抵抗化することができ、共通電極３０の時定数を下げることができる。つまり、画像表示駆動を行う際に、タッチ線６０をコモン線として利用することができる。
【００９５】
さらに、タッチ線６０の上に共通電極３０を設けることで、共通電極３０によってタッチ線６０を覆うことができる。これにより、共通電極３０上にタッチ線６０を設ける場合と比べて、腐食しやすい金属材料からなるタッチ線６０の腐食を抑制することができる。
【００９６】
第４絶縁膜１２４及び共通電極３０の上には、第５絶縁層（ＵＰＳ層）として第５絶縁膜１２５が形成されている。第５絶縁膜１２５は、共通電極３０を覆うように第４絶縁膜１２４の全面にわたって形成されている。第５絶縁膜１２５は、例えば、窒化シリコン膜等の無機材料からなる無機絶縁膜によって構成されている。
【００９７】
第５絶縁膜１２５の上には、画素電極２０が形成されている。画素電極２０は、第５絶縁膜１２５を介して共通電極３０に対向している。画素電極２０は、例えば、インジウム錫酸化物等の透明金属酸化物によって構成された透明電極である。本実施の形態において、画素電極２０は、共通電極３０と同様に、ＩＴＯ膜である。画素電極２０は、第４配線層の上の第５配線層（ＰＩＴ層）に形成されている。
【００９８】
なお、図示しないが、画素電極２０を覆うように第５絶縁膜１２５の全面にわたって配向膜が形成されていてもよい。液晶分子の初期配向角度を一定方向に揃えるために、配向膜にはラビング処理が施されている。
【００９９】
次に、第２基板２００について説明する。第２基板２００は、第１基板１００に対向する対向基板である。図５及び図６に示すように、第２基板２００は、第２透明基材２１０と、第２透明基材２１０に形成されたブラックマトリクス２２０と、カラーフィルタ２３０とを有する。したがって、第２基板２００は、カラーフィルタ２３０を有するカラーフィルタ基板（ＣＦ基板）となる。
【０１００】
第２透明基材２１０は、第１透明基材１１０と同様に、例えば、ガラス基板等の透明基板である。
【０１０１】
ブラックマトリクス２２０は、黒色層の遮光層であり、例えばカーボンブラックによって構成されている。ブラックマトリクス２２０は、第２透明基材２１０の液晶層３００側の面に形成される。ブラックマトリクス２２０は、行方向及び列方向に隣り合う２つの画素間に形成される。したがった、ブラックマトリクス２２０は、画素間に配置された各種配線を覆うように形成されている。一例として、ブラックマトリクス２２０は、全体として格子状に形成される。
【０１０２】
カラーフィルタ２３０は、複数の画素ＰＸごとに形成されている。具体的には、カラーフィルタ２３０は、赤色画素ＰＸＲ、緑色画素ＰＸＧ及び青色画素ＰＸＢの各々に対応して、赤色カラーフィルタ、青色カラーフィルタ及び緑色カラーフィルタが形成される。各カラーフィルタは、ブラックマトリクス２２０の間の領域（つまりブラックマトリクス２２０の開口部）に形成される。
【０１０３】
また、第２基板２００は、複数のスペーサ２４０を有する。スペーサ２４０は、第１基板１００に向かって突出するように第２透明基材２１０に形成されている。スペーサ２４０は、第１基板１００と第２基板２００との間隔（セルギャップ）を一定に維持するための柱状部材である。スペーサ２４０を設けることで、液晶層３００の厚さを容易に一定に維持することができる。一例として、スペーサ２４０は、円柱台形状であり、上端部及び下端部の平面視形状は円形である。スペーサ２４０は、アクリル樹脂等の樹脂材料によって構成されており、弾性変形することができる。スペーサ２４０は、例えばフォトリソグラフィー等によって所定のパターンに形成することができる。
【０１０４】
なお、液晶表示装置１には、一対の偏光板（不図示）が貼り合わされている。例えば、一対の偏光板の一方が第１基板１００の外面に形成され、一対の偏光板の他方が第２基板２００の外面に形成される。一対の偏光板は、偏光方向が互いに直交するように配置されている。また、一対の偏光板には、位相差板が貼り合わされていてもよい。
【０１０５】
次に、図７〜図１０を用いて、実施の形態１に係る液晶表示装置１の効果等について、本開示に至った経緯も含めて説明する。図７〜図１０は、それぞれ、実施の形態１に係る液晶表示装置１の一態様における画素配列と配線との関係を示す図である。このうち、図１０は、図１〜図６に示される液晶表示装置１そのものにおける画素配列と配線との関係を示している。なお、図７〜図１０において、「Ｄ」に対応する太い実線は、データ線５０を示しており、「ＶＧ」に対応する一点鎖線は、ゲート引出線４１を示しており、「Ｔ」に対応する細い実線は、タッチ線６０を示しており、「ｄｍｙＶＧ」に対応する太い破線は、ダミーゲート引出線４１Ａを示しており、「ｄｍｙＴ」に対応する細い破線は、ダミータッチ線６０Ａを示しており、「Ｇ」に対応する実線は、ゲート線４０を示している。また、「Ｒ」、「Ｇ」及び「Ｂ」で示される領域は、それぞれ、赤色画素ＰＸＲの画素列、緑色画素ＰＸＧの画素列及び青色画素ＰＸＢの画素列を示している。
【０１０６】
液晶表示装置では、狭額縁化等を目的として、ゲートドライバとソースドライバとを額縁領域の同じ辺に設ける技術が提案されている。例えば、ゲートドライバとソースドライバとを、額縁領域における画素の列方向の端部に設けることが考えられる。この場合、行方向に延在するゲート線と列方向の端部に実装されたゲートドライバとを電気的に接続するために、中継配線として列方向に延在するゲート引出線を別途形成することが考えられる。具体的には、ゲート線に直交するように複数のゲート引出線を形成し、ゲート引出線とゲート線との交差部でゲート引出線とゲート線とを接続することで、ゲート線とゲートドライバとをゲート引出線を介して接続する。
【０１０７】
このように構成すると、ゲート引出線とデータ線とが同じ方向に延在することになるので、製造工程でのマスク数の増加を抑えるために、ゲート引出線とデータ線とを同層に形成することが考えられる。つまり、ゲート引出線とデータ線とを同じ工程でパターニングすることが考えられる。
【０１０８】
しかしながら、ゲート引出線とデータ線とを同じ方向に延在させるとともにゲート引出線とデータ線とを同層に形成すると、データ線が配置された画素間にゲート引出線までも配置されてしまう。この結果、１つの画素間にゲート引出線とデータ線との２本の配線が並ぶことになる。この結果、画素の開口率や透過率が低下し、画像品位が低下する。
【０１０９】
そこで、本願発明者らは、この課題を解決するために鋭意検討した。その結果、ゲート引出線とデータ線とのレイアウトを工夫することで、ゲート引出線とデータ線とが同じ方向に延在し且つ同層に形成されていたとしても画素の開口率や透過率が低下することを抑制できることを見出した。
【０１１０】
具体的には、まず、デュアルゲート構造を採用してゲート引出線とデータ線とを配置した。デュアルゲート構造では、図７に示すように、ゲート線４０は、列方向に隣り合う２つの画素の境界部ごとに２本ずつ配置されるとともに、データ線５０は、行方向の２つの画素ごとに設けられる。つまり、データ線５０については、画素間を一つ飛ばしにして配置される。例えば、画素列の奇数ラインのみ又は偶数ラインのみにデータ線５０を配置する。
【０１１１】
このように、デュアルゲート構造を採用することで、隣り合う２本のデータ線５０の間に、データ線５０が形成されない画素の境界部が存在することになるので、この空いた画素の境界部を利用して、データ線５０と同層にゲート引出線４１を形成することができる。つまり、図７に示すように、データ線５０とゲート引出線４１とは、行方向に隣り合う２つの画素の境界部ごとに１本ずつ交互に設けられる。例えば、データ線５０を画素列の奇数ラインに配置した場合、ゲート引出線４１を偶数ラインに配置する。あるいは、データ線５０を画素列の偶数ラインに配置した場合、ゲート引出線４１を奇数ラインに配置する。
【０１１２】
このように、図７に示される液晶表示装置の構成によれば、複数のデータ線５０と複数のゲート引出線４１とは、同層に形成されており、かつ、行方向に隣り合う２つの画素の境界部ごとに周期的に繰り返して設けられている。これにより、平面視で１つの画素列間に２本の配線を並んで配置する必要がなくなる。
【０１１３】
これにより、ゲート線４０に交差するゲート引出線４１とデータ線５０とが同じ方向に延在し且つ同層に形成されていたとしても、画素ＰＸの開口率や透過率が低下することを抑制できる。したがって、開口率や透過率の低下に伴って画像品位が低下することを抑制できる。
【０１１４】
また、近年、タッチ機能を有するインセル方式の液晶表示装置が検討されている。この種の液晶表示装置では、ユーザがタッチした位置を検出するために、複数の共通電極に接続されたタッチ線を形成する。この場合、タッチ線とデータ線とを同じ方向に沿って形成して、タッチ機能付きソースドライバに接続することが考えられる。例えば、データ線とタッチ線とをいずれも列方向に延在するように形成することが考えられる。この場合、列方向に延在する配線として、データ線とゲート引出線とに加えて、タッチ線も形成されることになる。
【０１１５】
例えば、図７に示される構成の液晶表示装置に、列方向に延在するタッチ線６０を配置すると、図８に示される構成の液晶表示装置が考えられる。具体的には、図８に示すように、緑色画素ＰＸＧと青色画素ＰＸＢとの間のみにタッチ線６０を配置することが考えられる。この場合、タッチ線６０は、平面視においてデータ線５０とゲート引出線４１との各々に重なるように、データ線５０が配置された画素間とゲート引出線４１が配置された画素間とに交互に配置される。
【０１１６】
このため、図８に示される構成の液晶表示装置では、ゲート引出線４１の容量に周期性が生じるため、表示ムラが発生するおそれがある。特に、ゲート線４０に接続されるゲート引出線４１にはパルス状のゲート電圧が印加されるため、ゲート引出線４１の容量による表示ムラへの感度が高い。また、タッチ線６０の容量の周期性によってタッチ位置の検出性能が低下するおそれもある。さらに、ゲート引出線４１にはパルス状のゲート電圧が印加されるため、ゲート引出線４１とタッチ線６０との結合容量に起因して表示ムラが発生するおそれもある。
【０１１７】
そこで、図９に示される構成の液晶表示装置が考えられる。具体的には、図９に示すように、タッチ線６０をデータ線５０上のみに配置し、ゲート引出線４１の上にはタッチ線６０を配置しないようにする。
【０１１８】
しかしながら、図９に示される構成の液晶表示装置では、隣り合う２つの画素の種類が同じ組み合わせの画素間に、タッチ線６０が配置されるタッチ線配置画素間と、タッチ線６０が配置されないタッチ線非配置画素間とが存在することになり、タッチ線配置画素間とタッチ線非配置画素間とが周期的に繰り返すことになる。例えば、図９では、緑色画素ＰＸＧと青色画素ＰＸＢとの画素間については、タッチ線６０が配置されるタッチ線配置画素間とタッチ線６０が配置されないタッチ線非配置画素間とが１画素おきに繰り返して存在している。
【０１１９】
これにより、図９に示される構成の液晶表示装置では、タッチ線配置画素間とタッチ線非配置画素間とが周期的に繰り返して存在するので、幾何光学的ムラが発生して画像品位が低下するおそれがある。
【０１２０】
そこで、図１０に示される構成の液晶表示装置１が考えられる。図１０に示される液晶表示装置１は、図８に示される液晶表示装置において、タッチ線６０とゲート引出線４１とが重なる画素間について、タッチ線６０及びゲート引出線４１をダミータッチ線６０Ａ及びダミーゲート引出線４１Ａに代えた構成になっている。
【０１２１】
この場合、行方向に隣り合う２つの画素ＰＸの境界部は、データ線５０が配置される第１境界部と、ゲート引出線４１又はダミーゲート引出線４１Ａが配置される第２境界部とを交互に含んでおり、タッチ線６０は、第１境界部に配置され、ダミータッチ線６０Ａは、第２境界部に配置されている。
【０１２２】
この構成により、図８に示される構成の液晶表示装置の課題と図９に示される液晶表示装置の課題とを解決することができる。
【０１２３】
つまり、図１０に示される液晶表示装置では、ゲート引出線４１の容量を共通にすることができるので、ゲート引出線４１の容量の周期性に起因する表示ムラを抑制できる。また、タッチ線６０の容量を共通にすることができるので、タッチ線の容量の周期性に起因するタッチ位置の検出性能の低下を抑制できる。さらに、ゲート引出線４１とタッチ線６０とが重ならないので、ゲート引出線４１とタッチ線６０との結合容量に起因する表示ムラの発生も抑制できる。
【０１２４】
また、図１０に示される液晶表示装置１では、隣り合う２つの画素の種類が同じ組み合わせの画素間については、タッチ線６０又はタッチ線６０と同一視されるダミータッチ線６０Ａが配置されることになる。例えば、図１０では、緑色画素ＰＸＧと青色画素ＰＸＢとの画素間については、タッチ線６０が配置される画素間とダミータッチ線６０Ａが配置されない画素間とが１画素おきに繰り返している。これにより、タッチ線６０の配置／非配置による幾何光学的ムラを抑制できる。
【０１２５】
特に、本実施の形態では、タッチ線６０又はダミータッチ線６０Ａが、緑色画素ＰＸＧ及び青色画素ＰＸＢとの間（ＧＢ間）のみに設けられており、赤色画素ＰＸＲと緑色画素ＰＸＧとの間（ＲＧ間）及び赤色画素ＰＸＲと青色画素ＰＸＢとの間（ＲＢ間）には設けられていない。これにより、赤色の単色ラスター表示のときの色ムラを効果的に抑制することができ、上記実施の形態１と比べて、レンズムラの対策も可能となる。なお、レンズムラとは、例えば特開２０１７−１６７３５１号公報に記載のように、タッチ線６０又はダミータッチ線６０Ａで反射したバックライトからの光が、データ線５０等の他の配線で再度反射して観察者側に透過した際に、タッチ線６０の波長反射特性に依存して色ムラがみえてしまう現状をいう。例えば、タッチ線６０が主として銅にて構成される場合、タッチ線６０は赤成分の光を多く反射するため、タッチ線６０で反射したバックライトからの光が、データ線等の他の配線で再度反射し赤画素から観察者側に抜け出て色ムラを引き起こす。
【０１２６】
このように、図１０に示される液晶表示装置１によれば、デュアルゲート構造を採用してゲート線４０に交差するゲート引出線４１とデータ線５０とを同じ方向に延在させ且つ同層に形成し、しかも、タッチ機能を持たせるためにタッチ線６０を配置したとしても、画像品位が低下することを効果的に抑制することができる。
【０１２７】
（実施の形態２）
次に、実施の形態２に係る液晶表示装置について、図１１を用いて説明する。図１１は、実施の形態２に係る液晶表示装置における画素配列と配線との関係を示す図である。
【０１２８】
本実施の形態に係る液晶表示装置は、上記実施の形態１に係る液晶表示装置１と同様に、複数の画素ＰＸの各々に設けられたトランジスタ１０及び画素電極２０と、行方向及び列方向に配列された複数の共通電極３０と、行方向に延在する複数のゲート線４０と、列方向に延在する複数のゲート引出線４１と、列方向に延在する複数のデータ線５０と、列行方向に延在する複数のタッチ線６０とを備える。
【０１２９】
また、本実施の形態における液晶表示装置でもデュアルゲート構造が採用されており、複数のゲート線４０は、列方向に隣り合う２つの画素ＰＸの境界部ごとに２本ずつ設けられている。
【０１３０】
ただし、本実施の形態における液晶表示装置では、上記実施の形態における液晶表示装置１とは異なり、ダミーゲート引出線４１Ａ及びダミータッチ線６０Ａが設けられていない。
【０１３１】
また、本実施の形態における液晶表示装置では、上記実施の形態１における液晶表示装置１と同様に、複数の画素ＰＸは、赤色画素ＰＸＲ、緑色画素ＰＸＧ及び青色画素ＰＸＢの３種類の画素によって構成されている。そして、本実施の形態における液晶表示装置でも、上記実施の形態１における液晶表示装置１と同様に、複数の画素ＰＸは、行方向に沿って周期的に繰り返して配列された複数種の画素によって構成されている。
【０１３２】
ただし、上記実施の形態における液晶表示装置１とは異なり、３種類の画素の配列が異なる。具体的には、本実施の形態における液晶表示装置では、図１１に示すように、赤色画素ＰＸＲ、緑色画素ＰＸＧ、青色画素ＰＸＢ、緑色画素ＰＸＧ、青色画素ＰＸＢ及び赤色画素ＰＸＲの６つの画素がこの順で１組となって行方向に沿って繰り返して配列されている。つまり、上記実施の形態１では、赤色画素ＰＸＲ、緑色画素ＰＸＧ及び青色画素ＰＸＢの３種類の画素ＰＸが、ＲＧＢＲＧＢの配列を１周期として配置されていたが、本実施の形態では、ＲＧＢＧＢＲの配列を１周期として画素ＰＸが配置されている。図１１では、ＲＧＢＧＢＲを１周期として２周期分が図示されている。なお、列方向には、同一種類の画素ＰＸが配列されている。
【０１３３】
また、本実施の形態における液晶表示装置では、上記実施の形態１における液晶表示装置１と同様に、複数のデータ線５０と複数のゲート引出線４１とは、同層に形成されており、かつ、行方向に隣り合う２つの画素ＰＸの境界部ごとに周期的に繰り返して設けられている。また、本実施の形態における液晶表示装置でも、平面視において、複数のタッチ線６０の各々は、複数のデータ線５０の各々に重なっている。
【０１３４】
ただし、本実施の形態における液晶表示装置では、ダミーゲート引出線４１Ａ及びダミータッチ線６０Ａが設けられていないので、上記実施の形態１における液晶表示装置１とは、列方向に延在する配線（データ線５０.ゲート引出線４１、タッチ線６０）の繰り返しのレイアウトが異なる。
【０１３５】
つまり、上記実施の形態１では、画素ＰＸの配列をＲＧＢＲＧＢの配列に維持する代わりに、ダミーゲート引出線４１Ａ及びダミータッチ線６０Ａを別途設けたが、本実施の形態では、ダミーゲート引出線４１Ａ及びダミータッチ線６０Ａを別途設けない代わりに、画素ＰＸの配列をＲＧＢＧＢＲの配列に変更している。
【０１３６】
このように構成される本実施の形態に係る液晶表示装置でも、上記実施の形態１における液晶表示装置と同様の効果を得ることができる。
【０１３７】
すなわち、本実施の形態に係る液晶表示装置でも、図７に示される構成の配線レイアウトを含むので、ゲート線４０に交差するゲート引出線４１とデータ線５０とが同じ方向に延在し且つ同層に形成されていたとしても、画素ＰＸの開口率や透過率が低下することを抑制することができる。したがって、画像品位が低下することを抑制できる。
【０１３８】
さらに、本実施の形態に係る液晶表示装置でも、図８に示される構成の液晶表示装置の課題と図９に示される液晶表示装置の課題とを解決することができる。
【０１３９】
具体的には、本実施の形態に係る液晶表示装置でも、ゲート引出線４１の容量を共通にすることができるので、ゲート引出線４１の容量の周期性に起因する表示ムラを抑制できる。また、タッチ線６０の容量を共通にすることができるので、タッチ線の容量の周期性に起因するタッチ位置の検出性能の低下を抑制できる。さらに、ゲート引出線４１とタッチ線６０とが重ならないので、ゲート引出線４１とタッチ線６０との結合容量に起因する表示ムラも発生しない。また、本実施の形態に係る液晶表示装置でも、タッチ線６０の配置／非配置による幾何光学的ムラを抑制できる。
【０１４０】
このように、本実施の形態に係る液晶表示装置についても、デュアルゲート構造を採用してゲート線４０に交差するゲート引出線４１とデータ線５０とが同じ方向に延在し且つ同層に形成され、しかも、タッチ機能を持たせるためにタッチ線６０を配置したとしても、画像品位が低下することを効果的に抑制することができる。
【０１４１】
また、本実施の形態における液晶表示装置は、上記実施の形態１における液晶表示装置と比べて、さらに、以下の効果も奏する。
【０１４２】
具体的には、データ線５０の容量も共通にすることができるので、データ線５０の容量の周期性に起因する表示ムラも抑制できる。
【０１４３】
また、ダミーゲート引出線４１Ａ及びダミータッチ線６０Ａを設ける必要がないので、データ線５０を配置できる有効領域を多くできるので、液晶表示装置の行方向の長さが無駄に大きくなることを抑制できる。これにより、縦長（Ｌａｎｄｓｃａｐｅ型）の画像表示領域１ａを有する液晶表示装置を容易に実現することができる。例えば、縦横比（アスペクト比）が３：２の画像表示領域１ａを実現できる。
【０１４４】
さらに、ダミーゲート引出線４１Ａ及びダミータッチ線６０Ａを設けないことで、ダミーゲート引出線４１Ａ及びダミータッチ線６０Ａを設ける場合と比べて、額縁領域１ｂの周辺に形成される斜め配線による抵抗成分を小さくすることができる。つまり、ゲートドライバ５に接続するためにゲート引出線４１を額縁領域１ｂに集約させたり、ソースドライバ６に接続するためにデータ線５０及びタッチ線６０を額縁領域１ｂに集約させたりすると、額縁領域１ｂの周辺には、これらの配線を引き回すために中継配線として斜め配線が形成されるが、ダミーゲート引出線４１Ａ及びダミータッチ線６０Ａを設けないことで、この斜め配線の領域を小さくすることができる。これにより、斜め配線の線路長による抵抗成分を小さくすることができる。
【０１４５】
（実施の形態３）
次に、実施の形態３に係る液晶表示装置について、図１２を用いて説明する。図１２は、実施の形態３に係る液晶表示装置における画素配列と配線との関係を示す図である。
【０１４６】
本実施の形態に係る液晶表示装置は、上記実施の形態１に係る液晶表示装置１と同様に、複数の画素ＰＸの各々に設けられたトランジスタ１０及び画素電極２０と、行方向及び列方向に配列された複数の共通電極３０と、行方向に延在する複数のゲート線４０と、列方向に延在する複数のゲート引出線４１と、列方向に延在する複数のデータ線５０と、列行方向に延在する複数のタッチ線６０とを備える。
【０１４７】
また、本実施の形態における液晶表示装置でもデュアルゲート構造が採用されており、複数のゲート線４０は、列方向に隣り合う２つの画素ＰＸの境界部ごとに２本ずつ設けられている。
【０１４８】
ただし、本実施の形態における液晶表示装置では、上記実施の形態における液晶表示装置１とは異なり、ダミーゲート引出線４１Ａ及びダミータッチ線６０Ａが設けられていない。
【０１４９】
また、本実施の形態における液晶表示装置では、上記実施の形態１における液晶表示装置１と同様に、複数の画素ＰＸは、赤色画素ＰＸＲ、緑色画素ＰＸＧ及び青色画素ＰＸＢの３種類の画素によって構成されている。そして、本実施の形態における液晶表示装置でも、上記実施の形態１における液晶表示装置１と同様に、赤色画素ＰＸＲ、緑色画素ＰＸＧ及び青色画素ＰＸＢの３つの画素がこの順で１組となって行方向に沿って繰り返して配列されている。具体的には、本実施の形態における液晶表示装置でも、ＲＧＢＲＧＢの配列を１周期として画素ＰＸが配置されている。なお、列方向には、同一種類の画素ＰＸが配列されている。
【０１５０】
また、本実施の形態における液晶表示装置では、上記実施の形態１における液晶表示装置１と同様に、複数のデータ線５０と複数のゲート引出線４１とは、同層に形成されている。さらに、本実施の形態における液晶表示装置では、データ線５０及びゲート引出線４１だけではなく、タッチ線６０も同層に形成されている。つまり、複数のデータ線５０、複数のゲート引出線４１及び複数のタッチ線６０は、同層に形成されている。具体的には、タッチ線６０は、データ線５０及びゲート引出線４１が形成されるＳＤ層に形成されている。
【０１５１】
また、本実施の形態における液晶表示装置では、上記実施の形態１における液晶表示装置１と同様に、複数のデータ線５０と複数のゲート引出線４１とは、行方向に隣り合う２つの画素ＰＸの境界部ごとに周期的に繰り返して設けられている。さらに、本実施の形態における液晶表示装置では、データ線５０及びゲート引出線４１だけではなく、タッチ線６０についても、行方向に隣り合う２つの画素ＰＸの境界部ごとに周期的に繰り返して設けられている。
【０１５２】
具体的には、複数のデータ線５０は、行方向に並ぶ２つの画素ＰＸごとに設けられており、複数のゲート引出線４１及び複数のタッチ線６０は、データ線５０が設けられていない画素ＰＸの境界部ごとに、１本ずつ交互に設けられている。
【０１５３】
つまり、本実施の形態における液晶表示装置では、列方向に延在する３種類の配線（データ線５０、ゲート引出線４１、タッチ線６０）が、データ線５０、タッチ線６０、データ線５０及びゲート引出線４１の４本を１組とする周期を繰り返して、各画素間に１本ずつ配置されている。
【０１５４】
このように構成される本実施の形態に係る液晶表示装置でも、上記実施の形態１における液晶表示装置と同様の効果を得ることができる。
【０１５５】
例えば、本実施の形態に係る液晶表示装置でも、平面視で１つの画素列間に２本の配線が並んで配置されないので、画素ＰＸの開口率や透過率が低下することを抑制することができる。したがって、画像品位が低下することを抑制できる。
【０１５６】
さらに、本実施の形態に係る液晶表示装置では、タッチ線６０をデータ線５０及びゲート引出線４１と同層に形成しているので、タッチ線６０を形成するための配線層（ＣＭＴ層）が不要になるとともに、タッチ線６０と共通電極３０とを絶縁するための第４絶縁膜１２４（ＴＰＳ層）が不要になる。これにより、本実施の形態に係る液晶表示装置は、上記実施の形態１に係る液晶表示装置１と比べて、製造する際のマスク数を減らすことができる。
【０１５７】
（変形例）
以上、本開示に係る液晶表示装置及び画像表示装置等について、実施の形態に基づいて説明したが、本開示は、上記実施の形態１〜３に限定されるものではない。
【０１５８】
例えば、上記実施の形態１〜３では、データ線５０とトランジスタ１０のドレイン電極１０Ｄとが接続され、画素電極２０とトランジスタ１０のソース電極１０Ｓとが接続されていたが、これに限らない。例えば、データ線５０とトランジスタ１０のソース電極１０Ｓとが接続され、画素電極２０とトランジスタ１０のドレイン電極１０Ｄとが接続されていてもよい。
【０１５９】
また、上記実施の形態１〜３では、ゲート線４０が行方向に延在し、データ線５０、タッチ線６０、ダミータッチ線６０Ａ、ゲート引出線４１及びダミーゲート引出線４１Ａが列方向に延在していたが、これに限らない。ゲート線４０が列方向に延在し、データ線５０、タッチ線６０、ダミータッチ線６０Ａ、ゲート引出線４１及びダミーゲート引出線４１Ａが行方向に延在していてもよい。つまり、第１方向が列方向で、第１方向に直交する方向が行方向であってもよい。この場合、赤色画素ＰＸＲ、緑色画素ＰＸＧ及び青色画素ＰＸＢの３種の画素は、所定の配列で列方向に周期的に配列されていればよいし、ゲートドライバ５及びソースドライバ６は、液晶表示装置１の行方向側の端部に実装されていればよい。
【０１６０】
また、上記実施の形態１〜３における液晶表示装置は、タッチ機能及び表示機能の両方の機能を有するインセルタッチパネルであったが、これに限らず、タッチ機能及び表示機能のうち表示機能のみを有していてもよい。この場合、タッチ機能を有さない液晶表示装置は、タッチ線６０及びダミータッチ線６０Ａを有しておらず、タッチ線６０は、コモン線として利用することができる。また、この場合、共通電極３０は、複数に分割されずに画像表示領域１ａ全体にわたって形成された１枚のべた電極であってもよい。
【０１６１】
その他、上記実施の形態及び変形例に対して当業者が思いつく各種変形を施して得られる形態や、本開示の趣旨を逸脱しない範囲で実施の形態及び変形例における構成要素及び機能を任意に組み合わせることで実現される形態も本開示に含まれる。
【符号の説明】
【０１６２】
１  液晶表示装置
１ａ  画像表示領域
１ｂ  額縁領域
２  画像表示装置
３  バックライト
４  画像処理部
５  ゲートドライバ
６  ソースドライバ
１０  トランジスタ
１０Ｇ  ゲート電極
１０Ｓ  ソース電極
１０Ｄ  ドレイン電極
１０ＳＣ  半導体層
２０  画素電極
２１  ライン電極
２２  連結電極
３０  共通電極
３０ａ  セグメント電極
４０  ゲート線
４１  ゲート引出線
４１Ａ  ダミーゲート引出線
５０  データ線
６０  タッチ線
６０Ａ  ダミータッチ線
１００  第１基板
１１０  第１透明基材
１２１  第１絶縁膜
１２２  第２絶縁膜
１２３  第３絶縁膜
１２４  第４絶縁膜
１２４ａ  コンタクトホール
１２５  第５絶縁膜
２００  第２基板
２１０  第２透明基材
２２０  ブラックマトリクス
２３０  カラーフィルタ
２４０  スペーサ
３００  液晶層
ＰＸ  画素
ＰＸＲ  赤色画素
ＰＸＧ  緑色画素
ＰＸＢ  青色画素
【図１】
2020140088.tif 000003
【図２】
2020140088.tif 000004
【図３】
2020140088.tif 000005
【図４Ａ】
2020140088.tif 000006
【図４Ｂ】
2020140088.tif 000007
【図５】
2020140088.tif 000008
【図６】
2020140088.tif 000009
【図７】
2020140088.tif 000010
【図８】
2020140088.tif 000011
【図９】
2020140088.tif 000012
【図１０】
2020140088.tif 000013
【図１１】
2020140088.tif 000014
【図１２】
2020140088.tif 000015